(57)【要約】【課題】  この発明は、超音波振動子と普通振動とを併合作用させて口内を清掃殺菌することを目的としたものである。【解決手段】  この発明は、機械振動する柄基部の先端側に、柄杆の基端側を連設し、前記柄杆の先端部へ超音波振動子を埋設すると共に、前記柄杆へ、先端部に口内清掃器を設けた鞘杆を着脱自在に嵌装固定し、前記超音波振動子と、口内清掃器との振動の一体化手段を設け、前記柄基部の基端側へ動力源を収容する握部を連設したことを特徴とする口内清掃具により目的を達成した。【選択図】      図１
2005342489.tif 000002
【特許請求の範囲】
【請求項１】
機械振動する柄基部の先端側に、柄杆の基端側を連設し、前記柄杆の先端部へ超音波振動子を埋設すると共に、前記柄杆へ、先端部に口内清掃器を設けた鞘杆を着脱自在に嵌装固定し、前記超音波振動子と、口内清掃器との振動の一体化手段を設け、前記柄基部の基端側へ動力源を収容する握部を連設したことを特徴とする口内清掃具。
【請求項２】
口内清掃器は、歯ブラシ又は舌ブラシとしたことを特徴とする請求項１記載の口内清掃具。
【請求項３】
口内清掃器は、歯ブラシ又は舌ブラシの植設板に超音波振動子の埋設部に達する貫通孔を開口したことを特徴とする請求項１記載の口内清掃具。
【請求項４】
口内清掃器は、歯ブラシ又は舌ブラシの植設板に、超音波振動子に達する貫通孔を開口し、該貫通孔に吸水材を充填したことを特徴とする請求項１記載の口内清掃具。
【請求項５】
植設板は、超音波振動子側へ凹入部を設けて貯水隙間としたことを特徴とする請求項３又は４記載の口内清掃具。
【発明の詳細な説明】
【技術分野】
【０００１】
この発明は、歯、舌、又は歯ぐきの清掃に際し、機械振動及び超音波振動を用いて口内を清掃することを目的とした口内清掃具に関するものである。
【背景技術】
【０００２】
従来超音波振動子を内装した歯ブラシ、又は手動舌ブラシは知られている。
【０００３】
また、超音波振動子を内装した歯ブラシにおいて、歯ブラシ部分を着脱自在とした発明も知られている。
【特許文献１】実開昭５７−２８２９
【特許文献２】特開２００１−４５７
【特許文献３】特開２００３−７０５４４
【特許文献４】特開２００３−８８４２６
【発明の開示】
【発明が解決しようとする課題】
【０００４】
前記引用文献１の考案は、植毛部分の内側凹溜部に吸着剤を設けたものである。前記については、超音波を採用したこと及び、振動の伝達について工夫しているが、植毛部分の取換えについて、何等の記載がない問題点があった。
【０００５】
引用文献２については、舌ブラシについて記載されているが、手動方式であって、超音波発振していないので、清掃効果が小さい問題点があった。
【０００６】
引用文献３については、機械振動を採用していないので、相乗効果が望めない問題点がある。
【０００７】
引用文献４については、超音波振動を効率よく伝達する為の手段（例えば水を介在させる）がない問題点がある。
【課題を解決するための手段】
【０００８】
然るにこの発明は、歯ブラシと舌ブラシとを交換使用できると共に、歯ブラシも各種形式を準備しておけば自由に交換使用することができる。
【０００９】
またこの発明は超音波振動子を埋設した柄杆の外側に、清掃器を有する長い鞘杆（例えば直径の５倍〜１０倍）を嵌装したので、振動部と、ブラシ部が確実に一体化しており、正確に振動を伝達することができると共に、振動に起因する自動脱抜のおそれがない。
【００１０】
また超音波振動子の埋設部（振動部）と、ブラシ部とは水（吸水材）を介して連結しているので、振動の伝達損失がきわめて少なくなるという特質がある。例えば、超音波振動子を露出し、水と接触させることもある。
【００１１】
即ちこの発明は、機械振動する柄基部の先端側に、柄杆の基端側を連設し、前記柄杆の先端部へ超音波振動子を埋設すると共に、前記柄杆へ、先端部に口内清掃器を設けた鞘杆を着脱自在に嵌装固定し、前記超音波振動子と、口内清掃器との振動の一体化手段を設け、前記柄基部の基端側へ動力源を収容する握部を連設したことを特徴とする口内清掃具であり、口内清掃器は、歯ブラシ又は舌ブラシとしたものである。また、口内清掃器は、歯ブラシ又は舌ブラシの植設板に超音波振動子の埋設部に達する貫通孔を開口したものであり、口内清掃器は、歯ブラシ又は舌ブラシの植設板に、超音波振動子に達する貫通孔を開口し、該貫通孔に吸水材を充填したものである。更に、植設板は、超音波振動子側へ凹入部を設けて貯水隙間としたものである。
【００１２】
前記のようにこの発明は、鞘杆を相当長くして突出杆と一体的に振動させたので、機械振動を正確に伝達させることができる。
【００１３】
この発明の機械振動（振動モータ）は１２５Ｈｚ付近であり、超音波振動は、１２０万Ｈｚ〜１７０万Ｈｚであって、好ましくは１５０万Ｈｚ〜１６５万Ｈｚである。
【００１４】
前記発明において、ブラシ植設板に透孔を設け、超音波振動子の埋設壁に達するようにすると共に、該透孔へ吸水材（例えばスポンジ）を埋設したので、超音波振動は効率よく歯ブラシ又は舌ブラシに伝達され、歯垢、舌苔などの付着物を容易に除去することができる。
【００１５】
この発明において超音波振動子と、口内清掃器と振動の一体化手段とは、ブラシの植設板に貫通孔を設け、又は貫通孔に水を入れ、又は水を含んだ吸水材を充填し、或いは植設板の貫通孔の内端部へ、超音波振動子を露出させるなど、超音波振動にエネルギー損失を生ずることなく、植設板を振動させる手段をいう。
【発明の効果】
【００１６】
この発明は、握部内側の空洞部に振動モータを収容してあるので、ブラシ側全体に適度の振動を付与し、ブラシ効果、超音波振動との相乗効果及び超音波発振していることを感知できるなどの諸効果がある。
【００１７】
また、先端歯ブラシ部又は舌ブラシ部の内側へ超音波振動子を内装したので、歯ブラシ又は舌ブラシを集中的に超音波振動させて、口中のブラシ接触部（舌部、歯、又は歯ぐき）のみを超音波振動させ、殺菌及び舌苔又は歯垢の除去を効率よく行うことができる効果がある。
【００１８】
この発明はブラシ振動効果と、超音波振動及び殺菌効果を同時に付与し、両方同時に発揮する効果がある。
【００１９】
また、ブラシ板に透孔を設けて、ブラシ板と超音波振動子とを水により一体化振動できるようにしたので、超音波振動を効率よく歯ブラシ又は舌ブラシに付与し、超音波効果を一層向上させることができる。
【発明を実施するための最良の形態】
【００２０】
この発明は、握部内側へ振動モータと、制御基板を収容し、前記握部へ、柄基部を介して柄杆の基部を連結し、前記柄杆へ、先端部に口内清掃器を設けた鞘杆を着脱自在に嵌装固定し、前記超音波振動子と、口内清掃器との振動の一体化手段を設け、前記柄基部の基端側へ動力源を収容する握部を連設し、かつ歯ブラシ又は舌ブラシの植設板に超音波振動子に達する透孔を設け、この透孔へ吸水材を充填してこの発明の口内清掃具を構成した。
【実施例１】
【００２１】
この発明の実施例を図１、２、３、４について説明すると、合成樹脂製の中空握部１の内側へ、一側からニッケル水素電池２（充電式）と、スイッチ３、制御器４及びランプ５を取り付けた制御基板６と、振動モータ７とを順次内装する。次に中空握部１に連設した柄基部１ｃに同質の中空柄部１ａを細長く突設し、その先端部１ｂの内側へ超音波振動子９を内装する。また、前記中空柄部１ａの外側へ、先端部には平面が扇形板１０に形成され、該扇形板１０に、多数の突起１１、１１を植設した鞘柄８を嵌装して、この発明の口内清掃具１５を構成した。前記扇形板１０の外縁部には弧状の突条１２が設けてあって、突起１１、１１を保護すると共に、突条１２で舌面を掻くこともできる。図中１３はリード線、１４はランプ孔、１８は係止突起である（図３、４）。
【００２２】
前記実施例において、スイッチ３を入れると、振動モータ７及び超音波振動子９に通電するので、鞘柄８の扇形板１０の突起１１、１１及び中空握部１が振動してブラシ運動すると共に、超音波振動子９が超音波発振して、前記突起１１、１１の振動を舌に伝達するので、舌表面の舌苔を剥離すると共に、殺菌することができる（図４）。
【００２３】
前記実施例においては、中空握部１へ振動源（振動モータ７）を内装し、中空柄部１ａの先端部１ｂの内側へ超音波振動子９を内装したので、ブラシ運動（音波振動）と超音波発振とを同時に行うことにより、効率よく口内清掃を行うことができる。
【００２４】
また、鞘柄８は取換えることができるので、形状、大きさなどの異なる舌ブラシなどと取換えることができる。
【００２５】
前記実施例によれば、中空柄部１ａへ鞘部８を嵌装して、突起（舌ブラシ）の取換えをしたが、この具体的構造に制限はない。
【００２６】
前記実施例において、扇形板１０の中央部へ、透孔１６を設け、この透孔１６へ吸水したスポンジ１７を充填して、超音波振動子の埋設外壁と実質一体化しておけば、超音波振動が減衰することなく伝導される（図３（ｃ）、（ｄ））。
【実施例２】
【００２７】
この発明の他の実施例（歯ブラシ用鞘柄使用）を図５について説明すると、鞘柄１９の先端部に矩形板２０を設け、該矩形板２０の中央部に、鞘柄１９の中空部へ連通する透孔２１を設けると共に、前記矩形板２０の裏面へ凹入部２０ａを設けて、前記透孔２１と連通させ、前記矩形板２０にブラシ繊維２２を植設してこの発明の歯ブラシ付きの鞘柄１９を完成した。図中２３は係止突起である（図５）。
【００２８】
次に、図６の実施例は、鞘柄１９の先端部に矩形板２０を設け、該矩形板２０の中央部に矩形透孔２４を穿設し、この矩形透孔２４へ吸水したスポンジ２５の下端部を挿入固定し、前記スポンジ２５の下端は超音波振動子９の埋設壁に当接したものである。
【００２９】
前記実施例において、超音波振動子９の振動は水分を介して矩形板２０に伝達されるので、伝導による振動エネルギーの損失を低減させることができる。
【００３０】
また図７（ａ）の実施例は、ブラシ繊維２２を植設する矩形板２６の内側へ凹入部２６ａを設け、前記矩形板２６の端面へ、前記凹入部２６ａに達する透孔２７を設けたものである。
【００３１】
また図７（ｂ）、（ｃ）は、超音波振動子９の設置方法の実施例である。即ち、中空鞘柄部２８の先端面２８ａに透孔２９を設け、前記透孔２９から超音波振動子９を挿入した後接着剤３０（例えばシリコン）で透孔２９を閉鎖すると共に、超音波振動子９を接着固定したものである（図７（ｂ）、（ｃ））。
【図面の簡単な説明】
【００３２】
【図１】（ａ）この発明の実施例の平面図、（ｂ）同じく正面図。
【図２】（ａ）同じく鞘柄を除去した実施例の平面図、（ｂ）同じく正面図。
【図３】（ａ）同じく舌ブラシの鞘柄の平面図、（ｂ）同じく断面図、（ｃ）同じく他の舌ブラシ鞘柄の平面図、（ｄ）同じく断面図。
【図４】同じく内容物の配置を示す説明図。
【図５】（ａ）同じく他の鞘柄の実施例の断面図、（ｂ）同じく平面図。
【図６】（ａ）同じく他の鞘柄の実施例の一部断面図、（ｂ）同じく一部平面図。
【図７】（ａ）同じく鞘柄の他の実施例の一部断面図、（ｂ）同じく超音波振動子の固定順を示す斜視図、（ｃ）同じく断面図。
【符号の説明】
【００３３】
１  中空握部
７  振動モータ
８  鞘柄
９  超音波振動子
１０  扇形板
１１  突起
１５  口内清拭具
１６  透孔
１７  吸水したスポンジ
１９  鞘柄
２０  矩形板
２１  透孔
２２  ブラシ
【図１】
2005342489.tif 000003
【図２】
2005342489.tif 000004
【図３】
2005342489.tif 000005
【図４】
2005342489.tif 000006
【図５】
2005342489.tif 000007
【図６】
2005342489.tif 000008
【図７】
2005342489.tif 000009